(57)【要約】【課題】簡易な構成の集草装置によりメンテナンス作業負荷を軽減することができるモーアトラクタの集草装置を提供する。【解決手段】モーアトラクタの集草装置１は、トラクタに装荷したミッドモーア３から受けた刈草を左右の後輪５の間を通って後方のコレクタ９に案内する筒状のシュータ７を備えて構成され、上記シュータ７と機体との間には、機体フレーム１５の後端上部に吊掛け可能に係止するための係止手段１０、１７と、この係止手段１０、１７によって吊掛けられたシュータ７側を固定する固定手段１４，１９を機体フレーム１５の後端下部に設ける。【選択図】      図１
2004187509.tif 000002
【特許請求の範囲】
【請求項１】
トラクタに装荷したミッドモーア（３）から受けた刈草を左右の後輪（５，５）の間を通って後方のコレクタ（９）に案内する筒状のシュータ（７）を備え、機体後部に刈草を集めるためのモーアトラクタの集草装置において、
上記シュータ（７）と機体との間には、機体フレーム（１５）の後端上部に吊掛け可能に係止するための係止手段（１０、１７）と、この係止手段（１０、１７）によって吊掛けられたシュータ（７）側を固定する固定手段（１４，１９）を機体フレーム（１５）の後端下部に設けたことを特徴とするモーアトラクタの集草装置。
【請求項２】
トラクタに装荷したミッドモーア（３）から受けた刈草を左右の後輪（５，５）の間を通って後方のコレクタ（９）に案内する筒状のシュータ（７）を備え、機体後部に刈草を集めるためのモーアトラクタの集草装置において、
上記シュータ（７）は角筒状に形成し、その底部には、上下に回動可能な底板（１１ａ）と、この底板（１１ａ）の先端側に中折れ状に回動可能な折りたたみ部（１１ｂ）とを設けたことを特徴とするモーアトラクタの集草装置。
【請求項３】
前記底板（１１ａ）の先端側の折りたたみ部（１１ｂ）は、シュータ（７）の他の部分との接触による振動を抑えることができる振動減衰材料により形成したことを特徴とする請求項２記載のモーアトラクタの集草装置。
【請求項４】
トラクタに装荷したミッドモーア（３）から受けた刈草を収容するコレクタ（９）を機体後部に着脱可能に備えたモーアトラクタの集草装置において、
上記コレクタ（９）と機体との間には、機体フレーム（１５）の後端上部に吊掛け可能に係止するための係止手段（３３，３６）と、この係止手段（３３，３６）によって吊掛けられたコレクタ（９）側を拘束可能に係合する係合拘束手段（３９，４０）を機体フレーム（１５）の後端下部に設けたことを特徴とするモーアトラクタの集草装置。
【請求項５】
トラクタに装荷したミッドモーア（３）から受けた刈草を左右の後輪（５，５）の間から機体後部に案内する筒状のシュータ（７）と、このシュータ（７）の後端に連通接続して刈草を収容する幅広のコレクタ（９）とからなるモーアトラクタの集草装置において、
上記コレクタ（９）は、シュータ（７）後端を接続する切欠（３１ａ）を下方に開いて形成した門型形状の仕切部材（３１）と、この仕切部材（３１）の下端側を排出口として後方に回動可能に開閉動作する籠状のバッグ部と、このバッグ部と一体に開閉動作することにより仕切部材（３１）からシュータ（７）に及んでその下方を開閉可能な延長底板（５５ａ）とからなることを特徴とするモーアトラクタの集草装置。
【発明の詳細な説明】
【０００１】
【発明の属する技術分野】
本発明は、トラクタに装荷したミッドモーアから刈草を受けて機体後部に収容するモーアトラクタの集草装置に関し、特に、簡易な構成の集草装置によりメンテナンス作業負荷を軽減することができるモーアトラクタの集草装置に関する。
【０００２】
【従来の技術】
トラクタに装荷したミッドモーアから刈草を受けて機体後部に収容するモーアトラクタの集草装置が知られている（特許文献１、特許文献２等を参照）。特許文献１の集草装置は、ミッドモーアから左右の後輪の間の案内用のシュータを介して後部のコレクタに刈草を収容するものである。また、特許文献２の集草装置は、係合軸とロック金具とによってコレクタを着脱可能とするものである。
【特許文献１】特開平９−５１７０９号公報
【特許文献２】特開平９−２１５４２４号公報
【０００３】
【発明が解決しようとする課題】
しかしながら、シュータ内に残留する刈草の清掃等のメンテナンス負荷を避けることができず、また、コレクタを着脱可能とすることにより装着機構の複雑化を招くという問題がある。
【０００４】
本発明の目的は、簡易な構成の集草装置によりメンテナンス作業負荷を軽減することができるモーアトラクタの集草装置を提供することにある。
【０００５】
【課題を解決するための手段】
上記課題を解決するために、請求項１に係る発明は、トラクタに装荷したミッドモーアから受けた刈草を左右の後輪の間を通って後方のコレクタに案内する筒状のシュータを備え、機体後部に刈草を集めるためのモーアトラクタの集草装置において、上記シュータと機体との間には、機体フレームの後端上部に吊掛け可能に係止するための係止手段と、この係止手段によって吊掛けられたシュータ側を固定する固定手段を機体フレームの後端下部に設けたことを特徴とする。
【０００６】
上記シュータは、機体フレーム後端上部のＬ型係止部とクロスフレーム等の係止手段によりに引っ掛けてシュータを吊り下げ保持することにより位置決めされ、このシュータを揺動するようにして固定手段により機体フレームに固定することができる。
【０００７】
請求項２に係る発明は、トラクタに装荷したミッドモーアから受けた刈草を左右の後輪の間を通って後方のコレクタに案内する筒状のシュータを備え、機体後部に刈草を集めるためのモーアトラクタの集草装置において、上記シュータは角筒状に形成し、その底部には、上下に回動可能な底板と、この底板の先端側に中折れ状に回動可能な折りたたみ部とを設けたことを特徴とする。上記シュータの底板とその先端側の折りたたみ部を折りたたむように回動傾斜させることにより、シュータ内の底部に広く堆積した刈草を移動排除することができる。
【０００８】
請求項３に係る発明は、前記底板の先端側の折りたたみ部は、シュータの他の部分との接触による振動を抑えることができる振動減衰部材により形成したことを特徴とする。上記折りたたみ部は、振動減衰部材を用いることにより、底板等の回動に際し、シュータの他の部分と接触しても相互の振動が抑えられるので、合成樹脂やゴム材等の簡易な材料を使用することにより、シュータのメンテナンス等の際の騒音の低減を図ることができる。
【０００９】
請求項４に係る発明は、トラクタに装荷したミッドモーアから受けた刈草を収容するコレクタを機体後部に着脱可能に備えたモーアトラクタの集草装置において、上記コレクタと機体との間には、機体フレームの後端上部に吊掛け可能に係止するための係止手段と、この係止手段によって吊掛けられたコレクタ側を拘束可能に係合する係合拘束手段を機体フレームの後端下部に設けたことを特徴とする。上記コレクタは、機体後方から引っ掛けるようにして係止手段により機体フレームの後端上部に吊掛け保持することができ、その状態でコレクタを後方から揺動するように下部の係合拘束手段により係合して拘束固定することができる。
【００１０】
請求項５に係る発明は、トラクタに装荷したミッドモーアから受けた刈草を左右の後輪の間から機体後部に案内する筒状のシュータと、このシュータの後端に連通接続して刈草を収容する幅広のコレクタとからなるモーアトラクタの集草装置において、上記コレクタは、シュータ後端を接続する切欠を下方に開いて形成した門型形状の仕切部材と、この仕切部材の下端側を排出口として後方に回動可能に開閉動作する籠状のバッグ部と、このバッグ部と一体に開閉動作することにより仕切部材からシュータに及んでその下方を開閉可能な延長底板とからなることを特徴とする。
【００１１】
ミッドモーアから送出された刈草は、左右の後輪の間からシュータを介してその後端に連通接続する幅広のコレクタ内に収容される。また、コレクタのバッグ部を後方に回動することにより、下端側が仕切部材から開いて排出口が形成されることから、コレクタ内に収容されていた刈草を排出することができる。この時、下方に開いた切欠を形成した門型の仕切部材からシュータに及ぶ延長底板がバッグ部と一体に開いてその下方が開放される。
【００１２】
【発明の効果】
本発明のモーアトラクタの集草装置は以下の効果を奏する。
上記構成のモーアトラクタの集草装置は、シュータを係止手段により引っ掛けによって位置決めした上で固定手段で固定できることから、比較的重量のあるシュータのメンテナンス等に際し、トラクタの機体に対して容易に着脱することができる。特に、固定部を緩めてもシュータが不意に落下することがないので、シュータを機体から降ろす際の作業を安全に進めることができる。
【００１３】
シュータは、底部が中折れ可能としたことから、シュータの高さ寸法内で比較的広い範囲にわたって回動可動に構成することができる。したがって、シュータ内に堆積した刈草を、広い範囲にわたって移動排除できるので、長い筒状のシュータ内の清掃作業が容易となり、メンテナンスの負荷を軽減することができる。
【００１４】
前記底板の先端側の折りたたみ部を振動減衰部材により形成した場合は、底板等の回動に際し、折りたたみ部がシュータの他の部分と接触しても相互の振動が抑えられるので、合成樹脂やゴム材等の簡易な材料を使用することにより、シュータのメンテナンス等の際の騒音の低減を図ることができる。
【００１５】
コレクタは、係止手段により吊掛けて位置決めが可能で、係合拘束手段により拘束可能であることから、大型で大重量のコレクタの着脱作業が容易となるので、集草装置の清掃等のメンテナンス負荷を軽減することができる。
【００１６】
コレクタのバッグ部は、門型の仕切部材からシュータ底部に及ぶ延長底板がバッグ部と一体に開いてその下方が開放されることから、幅の狭いシュータに及ぶ広い範囲で刈草の残留を招くことなく刈草が排出されるので、残留刈草の清掃等のメンテナンスの負荷を軽減することができる。
【００１７】
【発明の実施の形態】
上記技術思想に基づき具体的に構成された実施の形態について以下に図面を参照しつつ説明する。
【００１８】
本発明のモーアトラクタの集草装置の構成例について、その透視側面図を図１に示す。図１において、モーアトラクタの集草装置１は、機体に装荷したミッドモーア３から受けた刈草を左右の後輪５，５の間から機体後部に案内する筒状のシュータ７と、このシュータ７の後端に連通接続して刈草を収容する幅広のコレクタ９と、その他付帯機器とから構成される。
【００１９】
シュータ７の上部には、その取付けのために前方に開いたＬ型係止部（係止手段）１０を備え、かつ、両サイドにはボルト固定するための左右のフランジ（固定手段）１４，１４を備える。これらＬ型係止部１０と左右のフランジ１４，１４とにより、シュータ７を左右の機体フレーム１５，１５に取付ける。
【００２０】
詳細には、Ｌ型係止部１０と対応して、左右の機体フレーム１５，１５の後端の起立部１５ａ，１５ａの間に車幅方向に延びるクロスフレーム（係止手段）１７を架設し、このクロスフレーム１７に合わせてＬ型係止部１０を引っ掛けて機体の後方から吊り掛け可能に構成する。また、左右のフランジ１４，１４と対応して、左右の機体フレーム１５，１５からそれぞれブラケット（固定手段）１９，１９を下垂し、この左右のブラケット１９，１９に左右のフランジ１４，１４を対応当接してボルト締結する。
【００２１】
上記構成のシュータ７の取付けは、クロスフレーム１７に合わせてＬ型係止部１０を引っ掛けることによって機体の後方からシュータ７を吊り掛けることができ、この状態でシュータ７を揺動するようにして左右のフランジ１４，１４がブラケット１９，１９に当接位置決めされるので、容易にボルト締結することができる。
【００２２】
シュータ７の細部構成は、機体の前後方向に延びる左右の機体フレーム１５，１５の間で下に開いたコの字型断面の上フレーム７ａとこの上フレーム７ａを貫通する支軸７ｂに対して揺動可能に軸支した下フレーム１１とから角型断面の筒体を構成する。下フレーム１１の先端には、図２に可動底板の操作系の構成を展開して示す背面図および図３にシュータの詳細構成および動作を示す側面図のように、上フレーム７ａとの間に互いに嵌合する長穴とピンとによる案内部７ｃを摺動位置に形成し、底部には、先端部を残して可動底板１１ａを備える。この可動底板１１ａは支軸７ｂと一体に下フレーム１１に対して揺動可能に取付ける。可動底板１１ａの先端部（折りたたみ部）１１ｂは、中折れ可能に構成し、可動底板１１ａを跳ね上げるように回動した時に上フレーム７ａと干渉しないように、先端部１１ｂを下方に折り曲げるスプリング１１ｃを下面側に備える。
【００２３】
先端部１１ｂは必要に応じて振動減衰材料を使用することにより、シュータ７の他の部分との接触による振動を抑えることができる。したがって、合成樹脂やゴム材等の簡易な材料で先端部１１ｂを形成することにより、シュータ７のメンテナンス等の際の騒音の低減を図ることができる。
【００２４】
支軸７ｂには、アーム１２ａを片持ち固定し、このアーム１２ａの他端に中間リンク１２ｂを介して揺動レバー１２ｃの一端に連結し、この揺動レバー１２ｃを機体の支点Ａに軸支するとともに、その他端から屈曲して後輪フェンダ１３の側方に操作部１２ｄを延設する。中間リンク１２ｂは、シュータ７と後輪５との間に配置して揺動レバー１２ｃと連結し、操作部１２ｄの基部側は、後輪フェンダ１３の下方で揺動レバー１２ｃの支点Ａの近傍に車幅方向に取付ける。
【００２５】
上記構成のシュータ７は、後輪フェンダ１３の上部に配置した運転席２０に座ったオペレータが操作部１２ｄを上方に引き上げると、揺動レバー１２ｃが一体に支点Ａを中心として揺動し、その後端の中間リンク１２ｂを介してアーム１２ａが下方に回動されることにより、支軸７ｂと一体の可動底板１１ａが後方に跳ね上げ回動される。この可動底板１１ａの回動によりその上に堆積した残留刈草は、後方のコレクタ９側に送られ、同時に、可動底板１１ａがコレクタ９の開口の仕切りとしてコレクタ９内に刈草を閉じこめることができる。この時、先端部１１ｂは、スプリング１１ｃによって下方に折りたたまれることから、先端部１１ｂの上に堆積した刈草は下方に落下するとともに、可動底板１１ａが上フレーム７ａと干渉することなく回動することができる。
【００２６】
このように、シュータ７の操作部１２ｄを後輪フェンダ１３の側方に設けることにより、オペレータは後輪フェンダ１３の上部の運転席２０に座ったまま、自然な姿勢で操作部１２ｄを操作することができる。また、シュータ７の可動底板１１ａと先端部１１ｂとを合わせた広い範囲にわたって残留刈草を排出することができることから、シュータ７の清掃等のメンテナンス作業の負荷を軽減することができる。
【００２７】
その他に、上記シュータ７の構成において、操作部１２ｄによるリンク系を設ける代わりに、可動底板１１ａを電動式に構成することによって同様の効果を確保することができる。詳細には、図４の可動底板の駆動系の構成側面図に示すように、支軸７ｂの近傍にモータ２１を取付けて、その出力軸２１ａにアーム２２を片持ちに取付け、このアーム２２の他端を支軸７ｂのアーム１２ａと連結する。モータ２１のスイッチ２３を運転席２０の近傍に配置することにより、レバー操作を要することなく、スイッチ２３を押すだけで可動底板１１ａを回動動作することができる。したがって、シュータ７の内部に刈草がびっしり詰まって大きな力を要する場合は、特に、高齢者や女性の負担を大きく軽減することができる。
【００２８】
コレクタ９は、図５の要部透視側面図、図６の同透視平面図に示すように、バッグフレーム３２によって形成される箱状籠体の前面３２ａを開口したバッグ部と、このバッグ部の前面３２ａを仕切る仕切部材３１とから構成される。仕切部材３１にはバッグ部に刈草を案内するシュータ７を連通接続するとともに、バッグ部に収容された刈草を排出するダンプ動作のために仕切部材３１に対してバッグフレーム３２を回動可能に支持する。
【００２９】
コレクタ９を取付ける機体側には、左右の機体フレーム１５，１５の後端の起立部１５ａ，１５ａにそれぞれ上部ステー３５，３５と下部ステー３７，３７とを設ける。左右の上部ステー３５，３５間にはクロスフレーム３６を架設し、また、左右の下部ステー３７，３７には、それぞれの後端部に略Ｕ字状に後方に開いたロックピン付きの案内部材（係合拘束手段）３９、３９を取付ける。
【００３０】
コレクタ９側には、上部ステー３５，３５間のクロスフレーム３６に係止可能なフック状の左右の係止腕（係止手段）３３，３３をクロスフレーム３６の幅方向の長さと合わせて仕切部材３１の上部に設ける。また、下部ステー３７，３７の案内部材３９、３９と係合するピン状の係合部材４０，４０を仕切部材３１の下部に設ける。案内部材３９、３９のロックピンは挿込操作によって係合部材４０，４０を係合状態に拘束するように、案内部材３９、３９に対して着脱可能に構成する。
【００３１】
仕切部材３１の上端には左右の支軸４１、４１を設け、この左右の支軸４１、４１に軸支される左右の軸受ステー４２，４２をバッグフレーム３２に取付けてその下端側を開放可能に構成する。片側の軸受ステー４２は、アーム部４２ａを突出延長して形成し、その先端部と仕切部材３１との間にシリンダ４４を介設する。このシリンダ４４の油圧をレバー操作するための操作バルブ４６は、仕切部材３１の上部に取付けたバルブブラケット４６ａによって運転席２０の側方に配置し、シリンダ４４との間を油圧ホース４４ａ，４４ｂで接続する。
【００３２】
上記構成のコレクタ９は、その上部の係止手段３３，３６により、機体後方から引っ掛けるようにして機体後端に吊掛け保持することができ、その状態で、下部の係合拘束手段３９，４０により、コレクタ９を後方から係合して拘束固定することができる。したがって、大型で大重量のコレクタ９の着脱作業が容易となるので、集草装置の清掃等のメンテナンス負荷を軽減することができる。
【００３３】
シリンダ４４は、後輪５より内側に配置することにより、後輪５からの泥はねによる損傷が抑えられるとともに、コレクタ９を後輪５に近接して構成することができることから、シュータ７による搬送通路を短くして集草性能を向上することができる。また、シリンダ４４、操作バルブ４６等の開閉駆動系を仕切部材３１にマウントすることにより、コレクタ９の着脱に際して一体のユニットとして容易に取扱うことができる。
【００３４】
コレクタ９のバッグ部は、図７、図８にそれぞれ示す平面図、側面図のように、前面３２ａを開口とする籠状箱体を形成するバッグフレーム３２と、その上部に取付けた上部カバー５１とから構成される。バッグフレーム３２の上面５２、左右の側面５３Ｌ，５３Ｒ、および背面５４に布メッシュを張り、その上面５２から一定の高さ位置を確保するようにブラケット５１ａ…を介して上部カバー５１を取付ける。この上部カバー５１は、両軸受ステー４２、４２による開閉機構をカバーし、かつ、コレクタ９の上方へ埃の拡散を抑えつつ、上部カバー５１の全周にわたる通風を確保することができる。
【００３５】
底面５５には、収容物を保持する板材による底板を取付ける。この底板は、背面５４の下部に及ぶとともに、底面５５の前部には、仕切部材３１を越えてシュータ７の底面に及ぶ延長底板５５ａを突出して形成する。仕切部材３１は、図９の斜視図のように、シュータ７の後端に臨む切欠３１ａを下方に開いて門型形状に形成し、かつ、布メッシュ付きの窓３１ｂ，３１ｂを備え、また、延長底板５５ａを下から填め込み可能な受部５７を延長底板５５ａに合わせて形成する。この受部５７は、延長底板５５ａの周縁の隙間を塞いで刈草の零れを防止し、また、吹出の防止により作業環境を改善することができる。
【００３６】
コレクタ９のダンプ動作による刈草の排出時は、延長底板５５ａがコレクタ９の底部からシュータ７の底面に及ぶことから、コレクタ９をダンプ動作させると延長底板５５ａを含めて一体に下方展開される。すなわち、コレクタ９に収容された刈草とともに、コレクタ９のダンプ動作により、延長底板５５ａに及ぶ範囲の刈草が一括排出される。
【００３７】
この時、下方に開いた切欠を形成した門型の仕切部材３１からシュータ７に及ぶ延長底板５５ａがバッグ部と一体に開いてその下方が開放されることから、幅の狭いシュータ７に及ぶ広い範囲で刈草の残留を招くことなく刈草が排出されるので、残留刈草の清掃等のメンテナンスの負荷を軽減することができる。その上、幅の狭いシュータ７の案内路を短く構成できるので、残留刈草による滞留や詰まりを減少することができる。その結果、次の草刈り稼動に際し刈草の送出路が確保され、ミッドモーア３からの刈草を延長底板５５ａからコレクタ９にスムーズに送り込み、効率良く集草することができる。したがって、コレクタ９の実質的な大容量化と集草効率の向上を図ることができる。
【図面の簡単な説明】
【図１】本発明のモーアトラクタのシュータ部の透視側面図
【図２】可動底板の操作系の構成を展開して示す背面図
【図３】シュータの詳細構成および動作を示す側面図
【図４】可動底板の駆動系の構成側面図
【図５】本発明のモーアトラクタのコレクタの要部透視側面図
【図６】同モーアトラクタのコレクタの要部透視平面図
【図７】バッグフレームの平面図
【図８】バッグフレームの側面図
【図９】仕切部材の斜視図
【符号の説明】
１  集草装置
３  ミッドモーア
５  後輪
７  シュータ
７ａ  上フレーム
７ｂ  支軸
９  コレクタ
１０  Ｌ型係止部（係止手段）
１１  下フレーム
１１ｃ  スプリング
１１ａ  可動底板
１１ｂ  先端部（折りたたみ部）
１４  フランジ（固定手段）
１５  機体フレーム
１５ａ  起立部
１７  クロスフレーム（係止手段）
１９  ブラケット（固定手段）
３１  仕切部材
３１ａ  切欠
３２  バッグフレーム
３２ａ  前面
３５  上部ステー
３６  クロスフレーム
３７  下部ステー
３９  案内部材（係合拘束手段）
４０  係合部材（係合拘束手段）
４１  支軸
４２  軸受ステー
４４  シリンダ
５５  底面
５５ａ  延長底板
【図１】
2004187509.tif 000003
【図２】
2004187509.tif 000004
【図３】
2004187509.tif 000005
【図４】
2004187509.tif 000006
【図５】
2004187509.tif 000007
【図６】
2004187509.tif 000008
【図７】
2004187509.tif 000009
【図８】
2004187509.tif 000010
【図９】
2004187509.tif 000011